(57)【特許請求の範囲】
【請求項１】
エレベータの運行を制御する主制御装置に接続され、前記エレベータの乗りかご内に設置されるかご内操作盤を制御するかご内操作盤制御部と、
前記かご内操作盤上に設けられ、乗りかごの走行方向及び走行位置を表示する方向・位置表示部と、
前記かご内操作盤制御部と接続され、前記方向・位置表示部の表示内容を制御する方向・位置表示制御部と、
前記かご内操作盤上に設けられ、外部との通話を可能にするインターホン装置を制御するインターホン制御部と、
前記かご内操作盤上に設けられ、タッチセンサ機能を有するタッチパネルディスプレイと、
前記タッチパネルディスプレイへの表示内容を必要に応じて表示制御するタッチパネルディスプレイ表示制御部と、
を備え、
前記タッチパネルディスプレイ表示制御部は、前記主制御装置が前記エレベータの運転状態が異常状態であると判断した場合に、前記タッチパネルディスプレイ上に前記インターホン装置と連動する非常呼びボタンを表示させることを特徴とするエレベータかご内表示装置。
【請求項２】
前記乗りかごには、前記主制御装置または前記かご内操作盤制御部のいずれかと接続される加重検出センサが取り付けられ、前記加重検出センサから所定の値を超える加重が検出された場合に、前記タッチパネルディスプレイに前記非常呼びボタンを表示させることを特徴とする請求項１に記載のエレベータかご内表示装置。
【発明の詳細な説明】
【技術分野】
【０００１】
本発明の実施形態は、必要に応じて非常呼びボタンを表示させることができるエレベータかご内表示装置に関する。
【背景技術】
【０００２】
従来、かご内操作盤に備えられるエレベータのかご内表示装置には、乗りかごの走行方向及び走行位置を表示する方向・位置表示部と、行先階登録ボタン、戸開閉ボタンのほか、非常時に外部への通話を可能にするインターホン装置などが備えられている。インターホン装置は非常時に外部に異常を発報する非常呼びボタンを操作することで、外部との通話が可能となる。この非常呼びボタンは、かご内表示装置とは独立して設けられており、操作時には機械的なストロークを持つボタンとなっている。
【０００３】
非常呼びボタンは非常時以外には使用されることがない。そのため通常時には押し間違えがないように非常呼びボタンは行先階登録ボタンなどと差異化を図ったデザインが要求されている。
【０００４】
また、非常呼びボタンと連動して機能するインターホン装置はかご内の利用者が使用しやすい高さに設置されるため、非常呼びボタンについても人が最も操作しやすい位置に配置されている。
【先行技術文献】
【特許文献】
【０００５】
【特許文献１】特開２００４−２６４３１号公報
【発明の概要】
【発明が解決しようとする課題】
【０００６】
上記のように、非常呼びボタンは人が最も操作しやすい位置に配置されているため、誤操作されやすい。そのほか、いたずらによる操作もされやすい。
【０００７】
そこで本発明の実施形態によれば、非常時以外の場合すなわち通常運転を行っている間は非常呼びボタンを表示させず、一方、非常時など外部との連絡が必要となる場合には非常呼びボタンの表示を行うことができるエレベータかご内表示装置の提供を目的とする。
【課題を解決するための手段】
【０００８】
上記目的を達成するために、本発明の実施形態に係るエレベータかご内表示装置は、エレベータの運行を制御する主制御装置に接続され、前記エレベータの乗りかご内に設置されるかご内操作盤を制御するかご内操作盤制御部と、前記かご内操作盤上に設けられ、乗りかごの走行方向及び走行位置を表示する方向・位置表示部と、前記かご内操作盤制御部と接続され、前記方向・位置表示部の表示内容を制御する方向・位置表示制御部と、前記かご内操作盤上に設けられ、外部との通話を可能にするインターホン装置を制御するインターホン制御部と、前記かご内操作盤上に設けられ、タッチセンサ機能を有するタッチパネルディスプレイと、前記タッチパネルディスプレイへの表示内容を必要に応じて表示制御するタッチパネルディスプレイ表示制御部と、を備え、前記タッチパネルディスプレイ表示制御部は、前記主制御装置が前記エレベータの運転状態が異常状態であると判断した場合に、前記タッチパネルディスプレイ上に前記インターホン装置と連動する非常呼びボタンを表示させることを特徴とする。
【図面の簡単な説明】
【０００９】
【図１】本発明の第１の実施形態に係るかご内操作盤の外観図である。
【図２】本発明の第１の実施形態に係るかご内操作盤の制御ブロック図である。
【図３】本発明の第１の実施形態に係る表示内容切替制御を示すフローチャートである。
【図４】本発明の第２の実施形態に係るかご内操作盤の制御ブロック図である。
【図５】本発明の第２の実施形態に係る加重検出センサの取り付けを示す乗りかご概略図である。
【図６】本発明の第２の実施形態に係る表示内容切替制御を示すフローチャートである。
【発明を実施するための形態】
【００１０】
以下、本発明の実施形態について図面を参照して説明する。
【００１１】
（第１の実施形態）
図１は本発明の第１の実施形態に係るかご内操作盤の外観図である。図２は本発明の第１の実施形態に係るかご内操作盤の制御ブロック図である。図３は本発明の第１の実施形態に係る表示内容切替制御を示すフローチャートである。
【００１２】
まず図１（ａ）を用いて本発明の第１の実施形態に係るかご内操作盤の構成について説明する。エレベータの乗りかご内には、かご内操作盤１が設置されている。かご内操作盤１には、エレベータの走行方向及び走行位置を示す方向・位置表示部２が備えられている。また、非常時などにおいて外部との連絡手段としてのスピーカ、マイク機能を備えるインターホン装置３と、行先階登録ボタン４や戸開閉ボタン５等をキャラクタ表示するタッチパネルディスプレイ６が備えられている。タッチパネルディスプレイ６に表示される行先階登録ボタン４や戸開閉ボタン５は、これらのキャラクタにタッチすることで、静電容量を電気信号に変換し、タッチパネルディスプレイ６上でタッチされた座標を検出して、利用者による操作を認識する。
【００１３】
図１（ｂ）に示すように、本発明の第１の実施形態に係るかご内表示装置は特定の動作が生じた場合にタッチパネルディスプレイ６上に非常呼びボタン７を表示させる。非常呼びボタン７の表示制御については詳細を後述する。
【００１４】
次に図２の制御ブロック図を用いて本発明の第１の実施形態に係るかご内制御装置の構成を説明する。エレベータの運行を制御する主制御装置８が図示しない昇降路内に設置されており、かご内操作盤の制御を行うかご内操作盤制御部９とその主制御装置８とが伝送信号によって接続されている。
【００１５】
かご内操作盤制御部９は、方向・位置表示部２を制御する方向・位置表示制御部１０と、タッチパネルディスプレイ６の表示内容を制御するタッチパネルディスプレイ表示制御部１１とバス信号によって接続されている。
【００１６】
そのほか、インターホン装置３を制御するインターホン制御部１２が主制御装置８とインターホン通話信号によって接続されている。
【００１７】
次に、図３のフローチャートを用いて本実施形態に係るかご内表示装置の制御動作について説明する。なお、ここでは、エレベータが運転制御が通常状態から異常状態に切り替わる状況について説明する。
【００１８】
タッチパネルディスプレイ６には行先階登録ボタン４及び戸開閉ボタン５がキャラクタ表示されている。エレベータ利用者はこのキャラクタ部分をタッチすることで、行先階の指定や戸開閉操作を行うことができる。
【００１９】
まず主制御装置８はエレベータの運転が正常運転であるか否かを判断する（Ｓ１）。エレベータの運転が正常状態である場合（Ｓ１のＹＥＳ）、伝送信号により正常運転信号をかご内操作盤制御部９に出力する（Ｓ２）。正常運転信号を受信したかご内操作盤制御部９は、エレベータの運転状態が正常状態であると判断する（Ｓ２）。エレベータの運転状態が正常状態であると判断された場合、かご内操作盤制御部９はエレベータの運行制御における各種の異常フラグをクリア状態にする（Ｓ３）。
【００２０】
そしてタッチパネルディスプレイ表示制御部１１に非常呼びボタン７表示ＯＦＦ指令を出力する（Ｓ４）。非常呼びボタン７表示ＯＦＦ指令を受けたタッチパネルディスプレイ表示制御部１１は、非常呼びボタン７表示ＯＦＦ処理を実行し、タッチパネルディスプレイ６に非常呼びボタン７を表示しないよう制御する（Ｓ５）。
【００２１】
よって、エレベータの通常運転時にはタッチパネルディスプレイ６に行先階登録ボタン４と戸開閉ボタン５が表示される。一方、エレベータの運転が異常状態になった場合について説明する。
【００２２】
主制御装置８はエレベータの運転が異常状態であると判断した場合（Ｓ１のＮＯ）、伝送信号により異常信号をかご内操作盤制御部９に出力する（Ｓ６）。異常信号を受信したかご内操作盤制御部９はタッチパネルディスプレイ表示制御部１１に非常呼びボタン７表示ＯＮ指令を出力する（Ｓ７）。非常呼びボタン７表示ＯＮ指令を受けたタッチパネルディスプレイ表示制御部１１は、非常呼びボタン７表示ＯＮ処理を実行し、タッチパネルディスプレイ６に非常呼びボタン７を表示するように制御する（Ｓ８）。具体的には、タッチパネルディスプレイ表示制御部１１はタッチパネルディスプレイ６にキャラクタデータを出力し、さらに本実施形態においては、タッチパネルディスプレイ６の表示部の最上部に非常呼びボタン７を表示させる。また、その際、必要に応じて行先階登録ボタン４や戸開閉ボタン５の表示キャラクタの座標データをシフトさせる。
【００２３】
以上のようにして、エレベータの運転状態が異常である場合にのみ、非常呼びボタン７をタッチパネルディスプレイ６に表示させることで、通常の運転時に非常呼びボタン７を表示する必要がなくなる。それにより、乗りかご利用者による誤操作やいたずら操作を防止することができる。
【００２４】
（第２の実施形態）
次に本発明の第２の実施形態について説明する。図４は本発明の第２の実施形態に係るかご内操作盤の制御ブロック図である。図５は本発明の第２の実施形態に係る加重検出センサの取り付けを示す乗りかご概略図である。図６は本発明の第２の実施形態に係る表示内容切替制御を示すフローチャートである。
【００２５】
本実施形態では第１の実施形態の構成に加え、加重検出センサを乗りかごに設置している。これは、乗りかごへの衝撃を検出し、一定値以上の加重値が検出された場合に、タッチパネルディスプレイ６に非常呼びボタン７を表示させるものである。以下、構成及び作用を説明する。
【００２６】
図４及び図５に示すようにかご内操作盤制御部９には、乗りかご側板１４の外部壁面に設置される加重検出センサ１３が設置される。図５においては、２側面に加重検出センサ１３が取り付けられているが、これに限らず、複数の加重検出センサ１３を乗りかご外壁に等間隔に配置してもよい。これは、等間隔で配置することにより均等に加重を検出することが可能となるためである。
【００２７】
また、本実施形態では、加重検出センサ１３として主に衝撃の検知に使用される高Ｇ加速度センサを用いる。なお、加重検出センサ１３は乗りかご側板の横幅中央付近であって、乗客の平均的な肩の高さに当たる箇所付近に設置される。
【００２８】
また、加重検出センサ１３の検出信号は制御信号線を介してかご内操作盤制御部９に出力されるように設定されている。
【００２９】
以下、本実施形態に係るかご内表示装置の制御動作について説明する。ここでは、加重検出センサ１３によって加重を検出する場合について説明する。まず、エレベータの運行が正常状態である場合の制御について説明する。
【００３０】
主制御装置８はエレベータの運転が正常運転であるか否かを判断する。エレベータの運転が正常状態である場合、伝送信号により正常運転信号をかご内操作盤制御部９に出力する。正常運転信号を受信したかご内操作盤制御部９は、エレベータの運転状態が正常状態であると判断する。エレベータの運転状態が正常状態であると判断された場合、かご内操作盤制御部９はエレベータの運行制御における各種の異常フラグをクリア状態にする。
【００３１】
そしてタッチパネルディスプレイ表示制御部１１に非常呼びボタン７表示ＯＦＦ指令を出力する。非常呼びボタン７表示ＯＦＦ指令を受けたタッチパネルディスプレイ表示制御部１１は、非常呼びボタン７表示ＯＦＦ処理を実行し、タッチパネルディスプレイ６に非常呼びボタン７を表示しないよう制御する。
【００３２】
よって、エレベータの通常運転時にはタッチパネルディスプレイ６に行先階登録ボタン４と戸開閉ボタン５が表示される。
【００３３】
次に、図６のフローチャートを用いて加重検出センサ１３によって所定値以上の加重検出がなされた場合について説明する。
【００３４】
主制御装置８は加重検出センサ１３から得られる信号から、加重検出センサが所定値以上の加重値を検出したか否かを判断する（Ｓ２１）。加重検出センサ１３が所定値以上の加重値を検出した場合（Ｓ２１のＹＥＳ）、かご内操作盤制御部９に加重検出フラグをセットする（Ｓ２２）。
【００３５】
一方、加重検出センサ１３が所定値以上の加重値を検出していない場合（Ｓ２１のＮＯ）、かご内操作盤制御部９に対して加重検出フラグをクリア状態にしておく（Ｓ２３）。
【００３６】
その後、かご内操作盤制御部９は加重検出フラグがセットされているのかの確認を行う（Ｓ２４）。その結果、加重検出フラグがセットされている場合（Ｓ２４のＹＥＳ）、かご内操作盤制御部９はタッチパネルディスプレイ表示制御部１１に非常呼びボタン表示ＯＮ指令を出力する（Ｓ２５）。非常呼びボタン表示ＯＮ指令を受けたタッチパネルディスプレイ表示制御部１１は、非常呼びボタン表示ＯＮ処理を実行し、タッチパネルディスプレイ６に非常呼びボタンを表示するように制御する（Ｓ２６）。具体的には、タッチパネルディスプレイ表示制御部１１はタッチパネルディスプレイ６にキャラクタデータを出力し、さらに本実施形態においては、タッチパネルディスプレイ６の表示部の最上部に非常呼びボタンを表示させる。また、その際、必要に応じて行先階登録ボタン４や戸開閉ボタン５の表示キャラクタの座標データをシフトさせる。
【００３７】
その後、主制御装置８は非常呼びボタンが操作されたか否かの判断を行う（Ｓ２７）。非常呼びボタンが操作された場合（Ｓ２７のＹＥＳ）、インターホン装置３の機能を発揮させたり、外部の監視センタと連絡を取るなどのいわゆる、非常呼びボタン操作時のオペレーション処理がなされる（Ｓ２８）。そして、その後タッチパネルディスプレイ表示制御部１１に非常呼びボタン表示ＯＦＦ指令を出力する（Ｓ２９）。非常呼びボタン表示ＯＦＦ指令を受けたタッチパネルディスプレイ表示制御部１１は、非常呼びボタン表示ＯＦＦ処理を実行し、タッチパネルディスプレイ６に非常呼びボタンを表示しないよう制御する（Ｓ３０）。
【００３８】
一方、非常呼びボタンが操作されていない場合（Ｓ２７のＮＯ）、主制御装置８は一定時間経過したか否かの判断を行う（Ｓ３１）。一定時間が経過していると判断された場合（Ｓ３１のＹＥＳ）、上述のステップ２９（Ｓ２９）に移行する。一定時間が経過していないと判断された場合（Ｓ３１のＮＯ）、上述のステップ２５（Ｓ２５）に戻り、非常呼びボタンの表示を継続する。
【００３９】
なお、本実施形態で述べた処理は、通常の運行制御に対して割り込み制御として処理される。
【００４０】
したがって、本実施形態によれば、乗りかご内で何らかの異常が発生した場合に利用者の任意によって非常呼びボタンをタッチパネルディスプレイ６に表示させることが可能となる。
【符号の説明】
【００４１】
１…かご内操作盤
２…方向・位置表示部
３…インターホン装置
４…行先階登録ボタン
５…戸開閉ボタン
６…タッチパネルディスプレイ
７…非常呼びボタン
８…主制御装置
９…かご内操作盤制御部
１０…方向・位置表示制御部
１１…タッチパネルディスプレイ表示制御部
１２…インターホン制御部
１３…加重検出センサ
１４…乗りかご側板
【図１】
0005840966.tif 000002
【図２】
0005840966.tif 000003
【図３】
0005840966.tif 000004
【図４】
0005840966.tif 000005
【図５】
0005840966.tif 000006
【図６】
0005840966.tif 000007